(57)【要約】【課題】クレジットカードを契約者以外が安全かつ簡易に使用することができる技術を提供する。【解決手段】  決済装置であって、クレジットカードの情報を記憶するカード情報記憶部と、クレジットカードの支払を行う顧客からのクレジットカードの使用開始要求を受け付けると、クレジットカードの使用開始処理を行うカード利用条件設定部と、クレジットカードを用いて清算を行う所定の処理において、クレジットカードが使用開始されかつ使用済みでない場合に所定の決済処理を行うとともに、クレジットカードを使用済みとする決済処理部と、を備える。【選択図】図１
2017224120.tif 000002
【特許請求の範囲】
【請求項１】
クレジットカードの情報を記憶するカード情報記憶部と、
前記クレジットカードの支払を行う顧客からの当該クレジットカードの使用開始要求を受け付けると、当該クレジットカードの使用開始処理を行うカード利用条件設定部と、
前記クレジットカードを用いて清算を行う所定の処理において、当該クレジットカードが使用開始されかつ使用済みでない場合に所定の決済処理を行うとともに、当該クレジットカードを使用済みとする決済処理部と、
を備えることを特徴とする決済装置。
【請求項２】
請求項１に記載の決済装置であって、
前記クレジットカードごとの利用条件を一つまたは複数記憶する利用条件記憶部を備え、
前記カード利用条件設定部は、前記クレジットカードの使用開始処理を行うとともに、当該クレジットカードの利用条件を受け付けて前記利用条件記憶部に格納し、
前記決済処理部は、前記クレジットカードを用いて清算を行う所定の処理において、当該クレジットカードが使用開始され使用済みでなく、かつ前記利用条件を満たす場合に前記所定の決済処理を行うとともに、当該クレジットカードを使用済みとする、
ことを特徴とする決済装置。
【請求項３】
請求項２に記載の決済装置であって、
前記利用条件には、前記顧客から設定される利用時パスワードを含む、
ことを特徴とする決済装置。
【請求項４】
請求項２に記載の決済装置であって、
前記利用条件には、前記顧客から設定される決済の上限金額を含む、
ことを特徴とする決済装置。
【請求項５】
請求項２に記載の決済装置であって、
前記利用条件には、前記顧客から設定される行先を含む、
ことを特徴とする決済装置。
【請求項６】
請求項２に記載の決済装置であって、
前記利用条件には、前記顧客から設定される乗車エリアを含む、
ことを特徴とする決済装置。
【請求項７】
請求項２に記載の決済装置であって、
前記利用条件には、前記顧客から設定される有料道路の利用の条件を含む、
ことを特徴とする決済装置。
【請求項８】
請求項２に記載の決済装置であって、
前記利用条件には、前記顧客から設定される当該クレジットカードの決済時に利用可能な端末を含む、
ことを特徴とする決済装置。
【請求項９】
請求項２に記載の決済装置であって、
前記利用条件には、前記顧客から設定される有効期限を含む、
ことを特徴とする決済装置。
【請求項１０】
決済装置を用いたクレジットカードの決済方法であって、
前記決済装置は、制御部と、前記クレジットカードの情報を記憶するカード情報記憶部と、を備え、
前記制御部は、
前記クレジットカードの支払を行う顧客からの当該クレジットカードの使用開始要求を受け付けると、当該クレジットカードの使用開始処理を行うカード利用条件設定ステップと、
前記クレジットカードを用いて清算を行う所定の処理において、当該クレジットカードが使用開始されかつ使用済みでない場合に所定の決済処理を行うとともに、当該クレジットカードを使用済みとする決済処理ステップと、
を実施することを特徴とする決済方法。
【発明の詳細な説明】
【技術分野】
【０００１】
本発明は、決済装置および決済方法に関するものである。
【背景技術】
【０００２】
様々な物やサービス提供の対価として金銭を授受する際に、クレジットカード会社により支払いを代行するためのクレジットカードを用いた決済が普及している。一般に、このような支払においては、物やサービスの需要者自らのクレジットカード利用契約に基づき所定の電子情報を記憶するクレジットカードに対して、読取端末を介して電子情報を読み取り、決済を行う。
【０００３】
特許文献１には、カードに記録されたカード情報を読み取る読み取り手段と、読み取ったカード情報の全部又は一部を送信する送信手段と、前記カード情報に対応する住所情報を受信する受信手段と、受信した住所情報をナビゲーション装置等に出力する手段を有する装置について記載されている。
【先行技術文献】
【特許文献】
【０００４】
【特許文献１】特開２００２−２５９５１５号公報
【発明の概要】
【発明が解決しようとする課題】
【０００５】
上記技術は、物やサービスの需要者自らのクレジットカード利用契約に基づくクレジットカードを用いて決済するものである。そのため、クレジット契約が需要者によらないものであって、かつ、一時的に需要者にクレジットカードの利用を許可する必要の有る使用状況においては有効なものとはいえない。例えば、タクシーを使って他人を帰宅させる場合等に、その他人に対して、自らあるいは所属組織が支払を負担するタクシーチケットを使用させるような使い方の場合には、クレジットカードを用いて安全に決済を行うことはできなかった。
【０００６】
本発明の目的は、クレジットカードを契約者以外が安全かつ簡易に使用することができる技術を提供することにある。
【課題を解決するための手段】
【０００７】
本願は、上記課題の少なくとも一部を解決する手段を複数含んでいるが、その例を挙げるならば、以下のとおりである。本発明の一態様に係る決済装置は、クレジットカードの情報を記憶するカード情報記憶部と、上記クレジットカードの支払を行う顧客からの当該クレジットカードの使用開始要求を受け付けると、当該クレジットカードの使用開始処理を行うカード利用条件設定部と、上記クレジットカードを用いて清算を行う所定の処理において、当該クレジットカードが使用開始されかつ使用済みでない場合に所定の決済処理を行うとともに、当該クレジットカードを使用済みとする決済処理部と、を備えることを特徴とする。
【０００８】
また、上記の決済装置においては、上記クレジットカードごとの利用条件を一つまたは複数記憶する利用条件記憶部を備え、上記カード利用条件設定部は、上記クレジットカードの使用開始処理を行うとともに、当該クレジットカードの利用条件を受け付けて上記利用条件記憶部に格納し、上記決済処理部は、上記クレジットカードを用いて清算を行う所定の処理において、当該クレジットカードが使用開始され使用済みでなく、かつ上記利用条件を満たす場合に上記所定の決済処理を行うとともに、当該クレジットカードを使用済みとする、ことを特徴とするものであってもよい。
【０００９】
また、上記の決済装置においては、上記利用条件には、上記顧客から設定される利用時パスワードを含む、ことを特徴とするものであってもよい。
【００１０】
また、上記の決済装置においては、上記利用条件には、上記顧客から設定される決済の上限金額を含む、ことを特徴とするものであってもよい。
【００１１】
また、上記の決済装置においては、上記利用条件には、上記顧客から設定される行先を含む、ことを特徴とするものであってもよい。
【００１２】
また、上記の決済装置においては、上記利用条件には、上記顧客から設定される乗車エリアを含む、ことを特徴とするものであってもよい。
【００１３】
また、上記の決済装置においては、上記利用条件には、上記顧客から設定される有料道路の利用条件を含む、ことを特徴とするものであってもよい。
【００１４】
また、上記の決済装置においては、上記利用条件には、上記顧客から設定される当該クレジットカードの決済時に利用可能な端末を含む、ことを特徴とするものであってもよい。
【００１５】
また、上記の決済装置においては、上記利用条件には、上記顧客から設定される有効期限を含む、ことを特徴とするものであってもよい。
【００１６】
また本発明の他の態様に係るクレジットカードの決済方法は、決済装置を用いたクレジットカードの決済方法であって、上記決済装置は、制御部と、上記クレジットカードの情報を記憶するカード情報記憶部と、を備え、上記制御部は、上記クレジットカードの支払を行う顧客からの当該クレジットカードの使用開始要求を受け付けると、当該クレジットカードの使用開始処理を行うカード利用条件設定ステップと、上記クレジットカードを用いて清算を行う所定の処理において、当該クレジットカードが使用開始されかつ使用済みでない場合に所定の決済処理を行うとともに、当該クレジットカードを使用済みとする決済処理ステップと、を実施する。
【発明の効果】
【００１７】
本発明によると、クレジットカードを契約者以外が安全かつ簡易に使用することができる。
【００１８】
上記した以外の課題、構成および効果は、以下の実施形態の説明により明らかにされる。
【図面の簡単な説明】
【００１９】
【図１】実施形態に係るワンタイムカード決済システムのブロック図である。
【図２】カード情報記憶部に格納されるデータ構造を示す図である。
【図３】利用条件記憶部に格納されるデータ構造を示す図である。
【図４】決済装置のハードウェア構成例を示す図である。
【図５】カード設定端末のハードウェア構成例を示す図である。
【図６】カード利用処理のフローを示す図である。
【図７】カード利用条件設定処理のフローを示す図である。
【図８】カード決済処理のフローを示す図である。
【図９】カード利用条件確認処理のフローを示す図である。
【図１０】有料道路料金清算処理のフローを示す図である。
【図１１】カード利用条件設定処理のカード情報読取設定画面の例を示す図である。
【図１２】カード利用条件設定処理の利用条件入力画面の例を示す図である。
【図１３】カード利用条件確認処理のカード情報確認画面の例を示す図である。
【発明を実施するための形態】
【００２０】
以下に、本発明の一態様に係る実施形態を適用したワンタイムカード決済システム１を用いた実施形態について、図面を参照して説明する。
【００２１】
一般に、クレジットカードによるタクシー乗車料金の決済は普及しているが、クレジットカードの性質上、他人にタクシーに乗車させる場合であっても、クレジットカードの利用を当該他人が行うことはできない。一方で、そのような場合には、紙のタクシーチケットを発券しておき当該他人の乗車の支払いを代行することができるが、当該タクシーチケットの紛失や悪用に対しては有効な対抗措置が少ない。また、タクシーチケットを使用できるタクシーと使用できないタクシーがあり、汎用性が高いとはいえない。
【００２２】
本実施形態に係るワンタイムカード決済システム１を用いると、利用者はクレジットカードと同様の範囲で使用可能でありつつ、紛失や悪用に対する安全性をより高くすることができる。
【００２３】
図１は、本実施形態に係るワンタイムカード決済システム１のブロック図である。ワンタイムカード決済システム１は、決済装置１００と、カード設定端末２００と、ハンディ端末３００と、カード所持者端末４００と、を含む。
【００２４】
カード設定端末２００は、決済装置１００とネットワーク５０を介して通信可能に接続され、カードを発行する顧客が使用する。ハンディ端末３００は、タクシー等の支払いを受ける者が有し、タクシー料金の支払と領収書の発行等のタクシー乗車に係る金銭授受に係る処理を行う。カード所持者端末４００は、クレジットカード機能を有し、利用回数に制限のあるワンタイムカード５００を一時的に保持して決済に臨席するカード所持者が有し、使用する端末である。
【００２５】
また、クレジットカード機能を有するワンタイムカード５００は、カード設定端末２００と、ハンディ端末３００と、カード所持者端末４００とにより、その記憶する電子情報を読み取られ、あるいは電子情報を書き込まれる。カード設定端末２００と、カード所持者端末４００とは、顧客あるいはカード所持者がワンタイムカード５００に無関係に保持使用しているスマートフォン等の端末であってもよい。
【００２６】
ネットワーク５０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、携帯電話網等の通信網である。なお、ネットワーク５０は、携帯電話通信網等の無線通信網上のＶＰＮ（Ｖｉｒｔｕａｌ  Ｐｒｉｖａｔｅ  Ｎｅｔｗｏｒｋ）等であってもよい。
【００２７】
決済装置１００は、いわゆるサーバー装置である。しかし、これに限られず、決済装置１００は、パソコンやスマートフォン、ワークステーション、ＰＤＡ（Ｐｅｒｓｏｎａｌ  Ｄａｔａ  Ａｓｓｉｓｔａｎｔ）、タブレット装置等各種の情報処理装置であってもよい。
【００２８】
決済装置１００は、ネットワーク５０を介してカード設定端末２００からワンタイムカード５００の利用の開始および利用条件の設定要求を受け付ける。また、決済装置１００は、ネットワーク５０を介してハンディ端末３００からワンタイムカード５００を用いた利用条件の確認および決済の要求を受け付ける。また、決済装置１００は、ネットワーク５０を介してカード所持者端末４００からワンタイムカード５００を用いた決済の利用条件の確認の要求を受け付ける。
【００２９】
また、決済装置１００は、決済の要求を受け付けると、ワンタイムカードの利用条件を満たすか否かを判定して、満たす場合には決済処理を行う。その際、有料道路の復路の走行に係る料金の請求を許可する条件を備えていなければ、決済装置１００は、復路についての有料道路の料金の請求に関しては、通常の運賃と往路の利用料金の加算額を上限として決済する。また、その有料道路の料金に関しては、決済装置１００は、ＥＴＣ（Ｅｌｅｃｔｒｏｎｉｃ  Ｔｏｌｌ  Ｃｏｌｌｅｃｔｉｏｎ）車載装置等の図示しない装置あるいはカーナビゲーション装置から取得する。
【００３０】
カード設定端末２００と、カード所持者端末４００とは、例えばパーソナルコンピュータやタブレット装置等の端末である。しかし、これに限られず、各装置は、スマートフォン、ワークステーション、ＰＤＡ等各種の情報処理装置であってもよい。
【００３１】
カード設定端末２００と、カード所持者端末４００とは、ネットワーク５０を介して決済装置１００から所定の画面の表示出力を行う指示を受けると、出力処理を行う。また、カード設定端末２００と、カード所持者端末４００とは、自装置に備えられた後述の入力装置等から受け付けた入力情報を、ネットワーク５０を介して決済装置１００へ送信する。
【００３２】
カード設定端末２００と、カード所持者端末４００とは、ワンタイムカード５００の表面に印字されたカード番号、あるいはワンタイムカード５００に記憶されているカード番号を読み取り、決済装置１００へカード情報として送信する。カード設定端末２００と、カード所持者端末４００とが印字を読み取る処理においては、画像に映りこんだバーコードを解析してカード番号を特定することができる。それに限られず、カード設定端末２００と、カード所持者端末４００とは、画像に映りこんだ文字をＯＣＲ（Ｏｐｔｉｃａｌ  Ｃｈａｒａｃｔｅｒ  Ｒｅｃｏｇｎｉｔｉｏｎ）により解析してカード番号を特定することができる。また、カード設定端末２００と、カード所持者端末４００とは、例えばＩＣタグリーダーを介してワンタイムカード５００が有する電子情報を読み取り、カード番号として特定するようにしてもよい。
【００３３】
決済装置１００には、制御部１１０と、記憶部１２０と、通信部１３０と、が含まれる。制御部１１０には、認証処理部１１１と、カード利用条件設定部１１２と、決済処理部１１３と、請求処理部１１４と、有料道路料金特定部１１５と、ＥＴＣ連動部１１６と、が含まれる。
【００３４】
認証処理部１１１は、ワンタイムカード５００の認証に関する処理を行う。すなわち、認証処理部１１１は、カード情報記憶部１２１にアクセスして、カードを有効化する際に必要なカード有効化パスワードを得て、そのパスワードの入力を受け付けた場合に有効化を許可する。また、認証処理部１１１は、利用条件記憶部１２２にアクセスして、カードを利用する際に必要な利用時パスワードの情報を得て、必要なパスワードを受け付けた場合に認証する。
【００３５】
カード利用条件設定部１１２は、ワンタイムカード５００ごとに、クレジット利用のための条件を設定する。具体的には、カード利用条件設定部１１２は、利用条件として、カード設定端末２００から設定される利用時パスワード、決済の上限金額、行先、乗車エリア、有料道路、クレジットカードの決済時に利用可能な端末、有効期限等のいずれかの条件またはそれらの組み合わせを設定する。
【００３６】
決済処理部１１３は、ワンタイムカード５００を含むクレジットカード機能を利用可能なカードを用いて清算を行う。なお、決済処理部１１３は、ワンタイムカード５００を用いて清算を行う所定の処理において、当該ワンタイムカード５００が使用開始され使用済みでなく、かつ利用条件を満たす場合に所定の決済処理を行うとともに、当該ワンタイムカード５００を使用済みとする。このようにすることで、ワンタイムカード５００の不正利用を回避することができる。
【００３７】
請求処理部１１４は、ワンタイムカード５００を用いた支払いについてクレジット運営会社へ支払いを要求するため、請求に係る処理を行う。具体的には、請求処理部１１４は、請求書をクレジット契約者宛に出力して送信する等の処理を行う。なお、当該請求書は、印刷された紙媒体であってもよいし、電子データであってもよい。
【００３８】
有料道路料金特定部１１５は、有料道路利用に係る料金を特定する。具体的には、有料道路料金特定部１１５は、ＥＴＣ車載装置等の図示しない装置あるいはカーナビゲーション装置から、タクシーの乗車位置から降車位置へ至る経路上の有料道路の料金情報を取得することで料金を特定する。
【００３９】
ＥＴＣ連動部１１６は、図示しないＥＴＣ車載装置がある場合に、当該ＥＴＣ車載装置と接続して、各種の情報、とくに有料道路の利用料金について取得する。
【００４０】
記憶部１２０には、カード情報記憶部１２１と、利用条件記憶部１２２と、が含まれる。
【００４１】
図２は、カード情報記憶部１２１に格納されるデータ構造を示す図である。カード情報記憶部１２１には、クレジットカードであるワンタイムカード５００を識別するカード識別子１２１Ａごとに、カードを有効化する所定のパスワードであるカード有効化パスワード１２１Ｂと、当該カードが使用済みであるか否かを示す使用済フラグ１２１Ｃの情報と、が対応付けて格納される。
【００４２】
図３は、利用条件記憶部１２２に格納されるデータ構造を示す図である。利用条件記憶部１２２には、クレジットカードごとの利用条件が一つまたは複数対応付けて格納される。
【００４３】
利用条件記憶部１２２には、カード識別子１２２Ａと、利用時パスワード１２２Ｂと、上限金額１２２Ｃと、有効期限１２２Ｄと、行先１２２Ｅと、乗車エリア１２２Ｆと、有料道路利用１２２Ｇと、利用可能ハンディ端末識別子１２２Ｈと、が含まれる。
【００４４】
カード識別子１２２Ａは、クレジットカード機能を有するワンタイムカード５００を特定する情報である。利用時パスワード１２２Ｂは、カード識別子１２２Ａにより特定されるワンタイムカード５００の決済利用の際に入力されることを必要とする利用条件であるパスワードを特定する情報である。上限金額１２２Ｃは、カード識別子１２２Ａにより特定されるワンタイムカード５００の決済利用の際に決済可能な金額の上限という利用条件にかかる上限金額を特定する情報である。
【００４５】
有効期限１２２Ｄは、カード識別子１２２Ａにより特定されるワンタイムカード５００の決済利用の際に決済可能な期間という利用条件にかかる期間を特定する情報である。行先１２２Ｅは、カード識別子１２２Ａにより特定されるワンタイムカード５００の決済利用の際に決済可能な乗車について、降車位置の制限という利用条件にかかる位置を特定する情報である。
【００４６】
乗車エリア１２２Ｆは、カード識別子１２２Ａにより特定されるワンタイムカード５００の決済利用の際に決済可能な乗車について、乗車位置の制限という利用条件にかかる位置を特定する情報である。有料道路利用１２２Ｇは、カード識別子１２２Ａにより特定されるワンタイムカード５００の決済利用の際に決済可能な復路の有料道路の利用という利用条件にかかる可否を特定する情報である。なお、タクシー乗車においては、有料道路を経由する乗車を行うと、タクシーの降車後のタクシーの帰路における有料道路の利用を想定した料金の請求がなされる場合がある。これを許可するか、許可せずに往路のみの有料道路の請求に対して支払うか否か、を特定する情報である。
【００４７】
利用可能ハンディ端末識別子１２２Ｈは、カード識別子１２２Ａにより特定されるワンタイムカード５００の決済利用の際に決済可能なハンディ端末の制限という利用条件にかかるハンディ端末識別子を特定する情報である。
【００４８】
通信部１３０は、ネットワーク５０を介して他の装置であるカード設定端末２００、ハンディ端末３００およびカード所持者端末４００との通信を行う。
【００４９】
カード設定端末２００には、表示部２１０と、入力受付部２２０と、通信部２３０と、読取部２４０と、が含まれる。表示部２１０は、決済装置１００から表示を指示された所定の形式の画面情報を通信部２３０から受け取ると、ディスプレイ装置に描画する。入力受付部２２０は、カード設定端末２００の操作者、例えばワンタイムカード５００のクレジットカード契約者からの入力指示を受け付け、決済装置１００へ送信する。通信部２３０は、ネットワーク５０を介して他の装置である決済装置１００との通信を行う。
【００５０】
読取部２４０は、ワンタイムカード５００の記憶するカード識別子あるいはワンタイムカード５００に印字されたカード識別子を読み取る。具体的には、読取部２４０は、ワンタイムカード５００が記憶するカード識別子を、ＲＦＩＤ（Ｒａｄｉｏ  Ｆｒｅｑｕｅｎｃｙ  ＩＤｅｎｔｉｆｉｅｒ）の通信あるいはＮＦＣ（Ｎｅａｒ  Ｆｉｅｌｄ  Ｃｏｍｍｕｎｉｃａｔｉｏｎ）の通信等の無線通信を介して、電磁的に取得する。あるいは、読取部２４０は、ワンタイムカード５００に印字されたカード識別子またはそのバーコード等のコードを、光学読取装置等を介して光学的に読み取り、ＯＣＲ等によりカード識別子として取得する。なお、読取部２４０は、ワンタイムカード５００に設けられた磁気記憶テープ等に格納されたカード識別子を、磁気的に読み取るものであってもよいことは、いうまでもない。
【００５１】
なお、表示部２１０と、入力受付部２２０と、通信部２３０と、を組み合わせると、Ｗｅｂページの表示を制御するいわゆるインターネットブラウザ機能を実現することができる。本実施形態においては、そのようなインターネットブラウザ機能を実現する制御部について、ブラウザ制御部と称呼する。
【００５２】
ハンディ端末３００には、印刷部３１０と、入力受付部３２０と、通信部３３０と、読取部３４０と、が含まれる。印刷部３１０は、決済装置１００から印刷を指示された所定の形式の領収書情報を通信部３３０から受け取ると、領収書を印刷する。入力受付部３２０は、ハンディ端末３００の操作者、例えばタクシー運転者からの入力指示を受け付け、決済装置１００へ送信する。通信部３３０は、ネットワーク５０を介して他の装置である決済装置１００との通信を行う。
【００５３】
読取部３４０は、ワンタイムカード５００の記憶するカード識別子あるいはワンタイムカード５００に印字されたカード識別子を読み取る。具体的には、読取部３４０は、ワンタイムカード５００が記憶するカード識別子を、ＲＦＩＤの通信あるいはＮＦＣの通信等の無線通信を介して、電磁的に取得する。あるいは、読取部３４０は、ワンタイムカード５００に印字されたカード識別子またはそのバーコード等のコードを、光学読取装置等を介して光学的に読み取り、ＯＣＲ等によりカード識別子として取得する。なお、読取部３４０は、ワンタイムカード５００に設けられた磁気記憶テープ等に格納されたカード識別子を、磁気的に読み取るものであってもよいことは、いうまでもない。
【００５４】
印刷部３１０と、入力受付部３２０と、通信部３３０と、を組み合わせると、Ｗｅｂページの表示を制御するいわゆるインターネットブラウザ機能を実現することができる。本実施形態においては、そのようなインターネットブラウザ機能を実現する制御部について、ブラウザ制御部と称呼する。
【００５５】
カード所持者端末４００には、表示部４１０と、入力受付部４２０と、通信部４３０と、読取部４４０と、が含まれる。表示部４１０は、決済装置１００から表示を指示された所定の形式の画面情報を通信部４３０から受け取ると、ディスプレイ装置に描画する。入力受付部４２０は、カード所持者端末４００の操作者、例えばタクシーの乗客であるカード所持者からの入力指示を受け付け、決済装置１００へ送信する。通信部４３０は、ネットワーク５０を介して他の装置である決済装置１００との通信を行う。
【００５６】
読取部４４０は、ワンタイムカード５００の記憶するカード識別子あるいはワンタイムカード５００に印字されたカード識別子を読み取る。具体的には、読取部４４０は、ワンタイムカード５００が記憶するカード識別子を、ＲＦＩＤの通信あるいはＮＦＣの通信等の無線通信を介して、電磁的に取得する。あるいは、読取部４４０は、ワンタイムカード５００に印字されたカード識別子またはそのバーコード等のコードを、光学読取装置等を介して光学的に読み取り、ＯＣＲ等によりカード識別子として取得する。なお、読取部４４０は、ワンタイムカード５００に設けられた磁気記憶テープ等に格納されたカード識別子を、磁気的に読み取るものであってもよいことは、いうまでもない。
【００５７】
表示部４１０と、入力受付部４２０と、通信部４３０と、を組み合わせると、Ｗｅｂページの表示を制御するいわゆるインターネットブラウザ機能を実現することができる。本実施形態においては、そのようなインターネットブラウザ機能を実現する制御部について、ブラウザ制御部と称呼する。
【００５８】
図４は、決済装置１００のハードウェア構成例を示す図である。決済装置１００は、演算装置１０２と、外部記憶装置１０３と、主記憶装置１０４と、出力装置１０５と、通信装置１０６と、各装置をつなぐバス１０７と、を備える。また、他に、決済装置１００は、入力装置１０１を備えるものであってもよい。
【００５９】
演算装置１０２は、例えばＣＰＵ（Ｃｅｎｔｒａｌ  Ｐｒｏｃｅｓｓｉｎｇ  Ｕｎｉｔ）などの演算装置である。
【００６０】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００６１】
主記憶装置１０４は、例えばＲＡＭ（Ｒａｎｄｏｍ  Ａｃｃｅｓｓ  Ｍｅｍｏｒｙ）などのメモリ装置である。
【００６２】
出力装置１０５は、例えば液晶ディスプレイや、有機ＥＬ（Ｅｌｅｃｔｒｏ  Ｌｕｍｉｎｅｓｃｅｎｃｅ）ディスプレイ等の表示装置である。
【００６３】
通信装置１０６は、ネットワーク５０等を介してカード設定端末２００、ハンディ端末３００、カード所持者端末４００等の他の装置と通信経路を確立し、情報を送受信するネットワークカード等の装置である。
【００６４】
入力装置１０１は、キーボードやマウス、タッチパネル等の各種入力装置である。
【００６５】
入力装置１０１と、演算装置１０２と、外部記憶装置１０３と、主記憶装置１０４と、出力装置１０５と、通信装置１０６とは、バス１０７等の接続導線により互いに接続される。
【００６６】
上記した決済装置１００の認証処理部１１１と、カード利用条件設定部１１２と、決済処理部１１３と、請求処理部１１４と、有料道路料金特定部１１５と、ＥＴＣ連動部１１６とは、演算装置１０２に処理を行わせるプログラムによって実現される。このプログラムは、主記憶装置１０４、外部記憶装置１０３または図示しないＲＯＭ装置内に記憶され、実行にあたって主記憶装置１０４上にロードされ、演算装置１０２により実行される。
【００６７】
また、決済装置１００の記憶部１２０は、主記憶装置１０４及び外部記憶装置１０３により実現される。また、決済装置１００の通信部１３０は、通信装置１０６により実現される。以上が、決済装置１００のハードウェア構成例である。
【００６８】
決済装置１００のそれぞれの構成は、処理内容に応じて、さらに多くの構成要素に分類することもできる。また、１つの構成要素がさらに多くの処理を実行するように分類することもできる。
【００６９】
また、各制御部（認証処理部１１１、カード利用条件設定部１１２、決済処理部１１３、請求処理部１１４、有料道路料金特定部１１５、ＥＴＣ連動部１１６）は、それぞれの機能を実現する専用のハードウェア（ＡＳＩＣ、ＧＰＵなど）により構築されてもよい。また、各制御部の処理が一つのハードウェアで実行されてもよいし、複数のハードウェアで実行されてもよい。
【００７０】
図５は、カード設定端末２００のハードウェア構成例を示す図である。カード設定端末２００は、入力装置２０１と、演算装置２０２と、外部記憶装置２０３と、主記憶装置２０４と、出力装置２０５と、通信装置２０６と、各装置をつなぐバス２０７と、読取装置２０８と、を備える。
【００７１】
入力装置２０１は、キーボードやマウス、タッチパネル等の各種入力装置である。演算装置２０２は、例えばＣＰＵなどの演算装置である。外部記憶装置２０３は、デジタル情報を記憶可能な、いわゆるハードディスクやＳＳＤあるいはフラッシュメモリなどの不揮発性記憶装置である。
【００７２】
主記憶装置２０４は、例えばＲＡＭなどのメモリ装置である。出力装置２０５は、例えば液晶ディスプレイや、有機ＥＬディスプレイ等の表示装置である。通信装置２０６は、ネットワーク５０等を介して決済装置１００等の他の装置と通信経路を確立し、情報を送受信するネットワークカード等の装置である。
【００７３】
読取装置２０８は、ワンタイムカード５００と通信を行い、ワンタイムカード５００が記憶するカード識別子等の電子情報を取得するＲＦＩＤタグリーダーである。ただし、これに限られず、読取装置２０８は、ＮＦＣ通信装置であってもよいし、光学映像を取得する撮影装置であってもよいし、あるいは磁気情報を読み出す磁気読取装置であってもよい。
【００７４】
入力装置２０１と、演算装置２０２と、外部記憶装置２０３と、主記憶装置２０４と、出力装置２０５と、通信装置２０６と、読取装置２０８とは、バス２０７等の接続導線により互いに接続される。
【００７５】
上記したカード設定端末２００の表示部２１０と、入力受付部２２０と、読取部２４０とは、演算装置１０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００７６】
また、カード設定端末２００の読取部２４０は、読取装置２０８により実現される。また、カード設定端末２００の通信部２３０は、通信装置２０６により実現される。以上が、カード設定端末２００のハードウェア構成例である。
【００７７】
カード設定端末２００のそれぞれの構成は、処理内容に応じて、さらに多くの構成要素に分類することもできる。また、１つの構成要素がさらに多くの処理を実行するように分類することもできる。
【００７８】
また、各制御部は、ハードウェア（ＡＳＩＣ、ＧＰＵなど）により構築されてもよい。また、各制御部の処理が一つのハードウェアで実行されてもよいし、複数のハードウェアで実行されてもよい。
【００７９】
なお、ハンディ端末３００と、カード所持者端末４００とについても、カード設定端末２００と略同一のハードウェア構成を備えるため、説明は省略する。ただし、ハンディ端末３００については、印刷部３１０を備える。印刷部３１０は、図示しない印刷装置により実現される。印刷装置は、所定のフォーマットを有するいわゆる領収書をロール紙に印刷する。
【００８０】
ワンタイムカード５００は、記憶部５１０と、通信部５２０とを有するいわゆるＲＦＩＤタグを有するカードである。通信部５２０は、所定の周波数の電磁波を受信すると記憶部５１０に記憶している電子情報を所定の周波数の電磁波に重畳させて付近へ放出する。記憶部５１０には、当該ワンタイムカード５００を特定するカード情報等の所定の情報が格納される。また、ワンタイムカード５００は、磁気テープをその表面に備え、当該磁気テープにカード情報等が記憶されるものであってもよい。
【００８１】
[動作の説明]次に、本実施形態におけるワンタイムカード決済システム１の動作を説明する。
【００８２】
図６は、カード利用処理のフローを示す図である。カード利用処理は、ワンタイムカード５００に係るクレジットカード契約者あるいは契約団体の職員等の利用者によってカード設定端末２００から開始の指示を得ると、開始される。なお、カード設定端末２００から開始の指示を得た場合に限らず、カード所持者端末４００やその他図示しない各種端末から指示を得た場合であっても、カード利用処理は開始される。なお、カード利用処理は、ワンタイムカード５００のクレジットカード機能を有効化する、すなわち決済を可能とするための処理と、実際に決済を行う処理と、決済に基づいてクレジットカード契約者に請求を行う処理と、を含むフローである。
【００８３】
まず、決済装置１００のカード利用条件設定部１１２は、有効化パスワードを受け付けてカード利用開始処理を行う（ステップＳ００１）。具体的には、カード利用条件設定部１１２は、利用開始するワンタイムカード５００のカード識別子と、有効化するためのパスワードを受け付け、認証処理部１１１へ受け渡す。認証処理部１１１は、カード情報記憶部１２１を参照して、カード識別子１２１Ａと、カード有効化パスワード１２１Ｂと、の組合せとマッチングして、両情報がそれぞれ一致するか否かを判定する。カード利用条件設定部１１２は、両情報がそれぞれ一致する場合には、カードを利用可能に設定する。
【００８４】
そして、カード利用条件設定部１１２は、カードの利用条件を設定する処理を行う（ステップＳ００２）。具体的には、カード利用条件設定部１１２は、ステップＳ００１にて使用開始したワンタイムカード５００について、利用条件となる情報を受け付けて、利用条件記憶部１２２へ格納する。なお、利用条件には、利用時パスワード、上限金額、有効期限、行先、乗車エリア、有料道路利用、利用可能ハンディ端末識別子のいずれかまたはそれらの組み合わせを含む。
【００８５】
ここで、利用条件の利用時パスワードについては、利用時に適切なパスワードの入力がなされないと利用を許可しない、あるいは利用を禁止する、というものである。上限金額は、上限金額以下の決済額でないと利用を許可しないというものである。有効期限は、有効期限内の利用でないと利用を許可しないというものである。行先は、行先までのタクシー乗車でないと利用を許可しないというものである。乗車エリアは、乗車エリアからのタクシー乗車でないと利用を許可しないというものである。有料道路利用は、有料道路の復路の利用額を決済額に含めることができないと設定されている場合には、復路の決済額を含む利用を許可しないというものである。利用可能ハンディ端末識別子は、利用可能とされたハンディ端末３００からの決済でないと利用を許可しないというものである。
【００８６】
そして、決済処理部１１３は、カード決済処理を実施する（ステップＳ００３）。具体的には、決済処理部１１３は、ワンタイムカード５００を用いた決済処理依頼を受け付けると、利用条件に適うか否かを判定し、利用条件に適う場合にはカード決済処理を実施する。
【００８７】
そして、請求処理部１１４は、カード決済処理に基づいて、所定の請求処理をクレジットカード契約者宛てに行う（ステップＳ００４）。
【００８８】
以上が、カード利用処理のフローである。カード利用処理によれば、ワンタイムカード５００のクレジットカード機能を有効化して、決済処理を行うことができる。
【００８９】
図７は、カード利用条件設定処理のフローを示す図である。カード利用条件設定処理は、カード利用処理のステップＳ００２において開始される。
【００９０】
カード利用条件設定部１１２は、カード識別子、利用時パスワード、上限金額、有効期限、行先、乗車エリア、有料道路利用条件、利用可能ハンディ端末識別子の受け付けを行う（ステップＳ１０１）。
【００９１】
そして、カード利用条件設定部１１２は、受け付けた情報を利用条件記憶部１２２へ格納する（ステップＳ１０２）。
【００９２】
そして、カード利用条件設定部１１２は、設定完了を通知する(ステップＳ１０３)。具体的には、カード利用条件設定部１１２は、設定が完了したことを通知する画面情報を生成して、カード設定端末２００へ表示するよう送信する。
【００９３】
以上が、カード利用条件設定処理のフローである。カード利用条件設定処理によれば、ワンタイムカード５００に対して、クレジットカード決済を行う際の制限事項となる利用条件を付与することができる。
【００９４】
図８は、カード決済処理のフローを示す図である。カード決済処理は、カード利用処理のステップＳ００３において開始される。
【００９５】
決済処理部１１３は、カード利用に係る情報を取得する（ステップＳ２０１）。具体的には、決済処理部１１３は、ハンディ端末３００から、カード識別子、利用時パスワード、利用金額、降車位置、乗車位置、ハンディ端末３００の識別子を取得する。また、決済処理部１１３は、乗車位置と降車位置とを用いて外部の装置にルート検索処理等を依頼して有料道路の料金を特定する。
【００９６】
決済処理部１１３は、カードは利用開始され、使用済みでなく、設定されたカード利用条件を満たすか否かを判定する（ステップＳ２０２）。具体的には、決済処理部１１３は、ステップＳ２０１において取得したカード識別子により特定されるワンタイムカードについて、使用開始処理がなされ、使用済みフラグが付されておらず、設定されたカード利用条件に適うか否かを判定する。
【００９７】
カード利用条件に適うか否かについて、より具体的には、決済処理部１１３は、ステップＳ２０１において取得し、あるいは特定した各情報を用いて、設定されている利用条件ごとに条件を満たすか否かを判定し、設定されている利用条件の全てを満たす場合に、カード利用条件に適うと判定する。
【００９８】
つまり、利用条件の利用時パスワードが設定されている場合には、利用時に適切なパスワードの入力がなされると条件が満たされる。上限金額が設定されている場合には、上限金額以下の決済額であれば条件が満たされる。有効期限が設定されている場合には、有効期限内の利用であれば条件が満たされる。行先が設定されている場合には、降車位置が行先で設定される所定のエリア内であれば条件が満たされる。乗車エリアが設定されている場合には、乗車位置が乗車エリアで設定される所定のエリア内であれば条件が満たされる。有料道路利用条件が復路を許可しないように設定されている場合には、有料道路の復路の利用額が含まれない利用であれば利用条件が満たされる。利用可能ハンディ端末識別子が設定されている場合には、利用可能とされたハンディ端末３００からの決済であれば条件が満たされる。
【００９９】
カードが利用開始されていないか、使用済みであるか、設定されたカード利用条件を満たさない場合（ステップＳ２０２にて「Ｎｏ」の場合）には、決済処理部１１３は、カード決済処理を終了させる。
【０１００】
カードが利用開始されており、使用済みでなく、設定されたカード利用条件を満たす場合（ステップＳ２０２にて「Ｙｅｓ」の場合）には、決済処理部１１３は、カード利用について決済する（ステップＳ２０３）。具体的には、決済処理部１１３は、所定のカード決済の処理を実施して決済する。
【０１０１】
そして、決済処理部１１３は、決済に用いたカードに使用済みフラグを付する（ステップＳ２０４）具体的には、決済処理部１１３は、カード情報記憶部１２１の使用済フラグ１２１Ｃに、使用済みであることを示す情報を設定する。
【０１０２】
以上が、カード決済処理のフローである。カード決済処理によれば、ワンタイムカード５００に係るクレジットカードの決済処理を、利用条件を満たす場合に限定して許可することができ、決済が終了したワンタイムカードについては、再度の決済を行う事ができないように制御することができる。
【０１０３】
図９は、カード利用条件確認処理のフローを示す図である。カード利用条件確認処理は、カード所持者端末４００あるいはハンディ端末３００でワンタイムカード５００を読み取ると、開始される。カード利用条件確認処理では、利用時パスワードが正しく入力されると、利用条件として設定されている情報を表示することができる。
【０１０４】
まず、カード利用条件設定部１１２は、利用時パスワードを受け付ける（ステップＳ３０１）。具体的には、カード利用条件設定部１１２は、ワンタイムカード５００を読み取ったカード所持者端末４００あるいはハンディ端末３００に対して、パスワードの入力を受け付けるよう指示し、入力されたパスワードを受信する。
【０１０５】
そして、カード利用条件設定部１１２は、利用時パスワードは正しく、カードは使用済みでないか否かを判定する（ステップＳ３０２）。具体的には、カード利用条件設定部１１２は、利用条件記憶部１２２の利用時パスワード１２２ＢとステップＳ３０１で入力されたパスワードの一致があれば利用時パスワードが正しいと判定する。また、カード利用条件設定部１１２は、読み取ったワンタイムカード５００のカード識別子に係るカード情報記憶部１２１の使用済フラグ１２１Ｃが付されていると、カードは使用済みと判定する。
【０１０６】
利用時パスワードは正しくないか、カードは使用済みの場合（ステップＳ３０２にて「Ｎｏ」の場合）には、カード利用条件設定部１１２は、ステップＳ３０１へ制御を戻す。
【０１０７】
利用時パスワードが正しく、カードは使用済みでない場合（ステップＳ３０２にて「Ｙｅｓ」の場合）には、カード利用条件設定部１１２は、カード利用条件を読み出す（ステップＳ３０３）。具体的には、カード利用条件設定部１１２は、読み取ったワンタイムカード５００のカード識別子に係る利用条件記憶部１２２のレコードをカード利用条件として読み出す。
【０１０８】
そして、カード利用条件設定部１１２は、カード利用条件を表示する（ステップＳ３０４）。具体的には、カード利用条件設定部１１２は、読み出したカード利用条件について、ワンタイムカード５００を読み取ったカード所持者端末４００には表示画面を生成して送信し、ハンディ端末３００に対しては印刷情報を生成して送信する。これらを受けて、カード所持者端末４００は表示画面を表示し、ハンディ端末３００は印刷を行う。
【０１０９】
以上が、カード利用条件確認処理のフローである。カード利用条件確認処理によれば、ワンタイムカードに設定された利用条件を表示することができ、例えば有効期限の確認や決済利用することができる条件について適切に把握することができる。
【０１１０】
図１０は、有料道路料金清算処理のフローを示す図である。有料道路料金清算処理は、カード決済処理のステップＳ２０３において開始される。
【０１１１】
まず、有料道路料金特定部１１５は、タクシーメータに道路料金情報を要求する（ステップＳ４０１）。具体的には、有料道路料金特定部１１５は、決済するタクシー乗車料金の有料道路走行に係る追加料金の算出のために、ワンタイムカード５００を読み取ったハンディ端末３００が搭載されたタクシー車両のタクシーメータに道路料金情報を要求する。タクシーメータは、ＥＴＣと連動している場合には、ＥＴＣの料金情報を有料道路料金特定部１１５へ受け渡す。ＥＴＣが装備されていない、あるいはＥＴＣと連動していない場合には、タクシーメータは、乗車料金の情報を有料道路料金特定部１１５へ受け渡す。
【０１１２】
そして、有料道路料金特定部１１５は、道路料金情報を得られたか否かを判定する（ステップＳ４０２）。
【０１１３】
道路料金情報を得られた場合（ステップＳ４０２にて「Ｙｅｓ」の場合）には、有料道路料金特定部１１５は、復路の料金支払い許可があれば往復の有料道路の通行料を加算した金額を支払額として特定する（ステップＳ４０３）。具体的には、有料道路料金特定部１１５は、利用条件記憶部１２２の有料道路利用１２２Ｇに係る条件の情報を取得し、復路の料金支払いを許可する条件であれば復路の料金支払い許可があるとして支払額を特定する。
【０１１４】
そして、有料道路料金特定部１１５は、復路の料金支払い許可がなければ、往路の有料道路の通行料を加算した金額を支払額として特定する（ステップＳ４０４）。具体的には、有料道路料金特定部１１５は、利用条件記憶部１２２の有料道路利用１２２Ｇに係る条件の情報を取得し、復路の料金支払いを許可しない条件であれば復路の料金支払い許可がないとして支払額を特定する。
【０１１５】
道路料金情報を得られなかった場合（ステップＳ４０２にて「Ｎｏ」の場合）には、有料道路料金特定部１１５は、ルート誘導サービスに乗車位置と降車位置を送信し料金情報を要求する（ステップＳ４０５）。具体的には、有料道路料金特定部１１５は、ネットワーク５０を介して、所定のルート誘導サーバーに乗車位置と降車位置を送信し料金情報を要求する。あるいは、有料道路料金特定部１１５は、ＥＴＣ連動部１１６に、乗車位置と降車位置を受け渡し、料金情報を要求する。ＥＴＣ連動部１１６は、連動するＥＴＣを用いて、乗車位置から降車位置へ至る有料道路の料金情報を有料道路料金特定部１１５へ受け渡す。
【０１１６】
料金情報を得られた場合（ステップＳ４０５にて「Ｙｅｓ」の場合）には、有料道路料金特定部１１５は、制御をステップＳ４０３へ進める。
【０１１７】
料金情報を得られなかった場合（ステップＳ４０５にて「Ｎｏ」の場合）には、有料道路料金特定部１１５は、タクシー運転者等から料金情報の入力を受け付け、支払額として特定する（ステップＳ４０７）。
【０１１８】
以上が、有料道路料金清算処理のフローである。有料道路料金清算処理によれば、有料道路料金についてタクシーメータあるいはＥＴＣからの取得を優先し、得られない場合にルート誘導サービス等からの取得を試み、それでも得られない場合には手入力による取得を行う。また、復路の有料道路料金の請求許可についても、許可する範囲で支払額として特定することができる。
【０１１９】
図１１は、カード利用条件設定処理のカード情報読取設定画面５４０の例を示す図である。カード情報読取設定画面５４０には、ワンタイムカード５００の読取を行う際の方法の選択肢として、かざして読み取る選択肢５４１と、バーコードを読み取る選択肢５４２と、が択一的に選択可能に表示される。いずれかの選択肢を選択状態にして、読み取るボタン５４３への入力を受け付けると、読取部２４０は、選択肢に応じた読取方法でワンタイムカード５００を読み取る。キャンセルボタン５４４は、入力を受け付けると、ブラウザ処理部が処理を終了する。なお、カード情報読取設定画面５４０は、決済装置１００により生成されてブラウザ制御部により表示されるものであってもよいし、カード設定端末２００において所定のプログラムにより生成されて表示されるものであってもよい。
【０１２０】
図１２は、カード利用条件設定処理の利用条件入力画面５５０の例を示す図である。利用条件入力画面５５０は、ワンタイムカード５００のクレジットカード機能を利用するための条件である利用条件を設定する際に設定対象の条件の入力を受け付ける画面である。利用条件入力画面５５０には、利用時パスワード入力受付領域５５１、利用限度額入力受付領域５５２、有効期限入力受付領域５５３、行先入力受付領域５５４等の上述の利用条件の入力を受け付ける領域と、入力受付領域に入力された各利用条件を決済装置へ送信する指示を受け付ける送信ボタン５５５と、画面をひとつ前に戻す指示を受け付ける戻るボタン５５６と、利用条件の設定を中止する指示を受け付けるキャンセルボタン５５７と、が含まれる。なお、利用条件入力画面５００は、決済装置１００により生成されてカード設定端末２００のブラウザ制御部により表示されるものであってもよいし、カード設定端末２００において所定のプログラムにより生成されて表示されるものであってもよい。
【０１２１】
図１３は、カード利用条件確認処理のカード情報読取設定画面のカード情報確認画面６００の例を示す図である。カード情報確認画面６００には、ワンタイムカード５００の利用条件であるカード番号、利用限度額、有効期限、行先、乗車エリア、有料道路利用等の設定された利用条件を表示する利用条件表示領域６０１と、利用条件の表示を終了させて所定の画面へ表示を切り替える指示を受け付けるトップに戻るボタン６０２と、が含まれる。なお、カード情報確認画面６００は、決済装置１００により生成されてカード所持者端末４００のブラウザ制御部により表示されるものであってもよいし、カード所持者端末４００において所定のプログラムにより生成されて表示されるものであってもよい。
【０１２２】
以上、本発明に係る実施形態を適用したワンタイムカード決済システム１について説明した。当該実施形態によると、クレジットカードを契約者以外が安全かつ簡易に使用することができる。
【０１２３】
本発明は、上記の実施形態に制限されない。上記の実施形態は、本発明の技術的思想の範囲内で様々な変形が可能である。例えば、上記の実施形態においては、タクシー利用を想定したワンタイムカードの利用条件が例示されているが、これに限られない。例えば、ギフト券やビール券等、各種の商品券利用を想定したワンタイムカードの利用条件を有するものとすることができる。そのような態様においては、利用用途ごとに予め利用条件を設けて、ワンタイムカードの有効化を行う際に利用用途を選択して設定することで予め設けられた利用条件が利用時に課されるようにしてもよい。
【０１２４】
また例えば、使用済みフラグが付されたワンタイムカード５００については、決済処理を行った事業者が回収しておき、クレジットカード運営会社に返還することで所定の報奨を得られるようにしてもよい。このようにすることで、カードの再利用、省資源となるだけでなく、環境保護のインセンティブを与えることが可能となる。
【０１２５】
また、上記した実施形態の技術的要素は、単独で適用されてもよいし、プログラム部品とハードウェア部品のような複数の部分に分けられて適用されるようにしてもよい。
【０１２６】
以上、本発明について、実施形態を中心に説明した。
【符号の説明】
【０１２７】
１・・・ワンタイムカード決済システム、５０・・・ネットワーク、１００・・・決済装置、１１０・・・制御部、１１１・・・認証処理部、１１２・・・カード利用条件設定部、１１３・・・決済処理部、１１４・・・請求処理部、１１５・・・有料道路料金特定部、１１６・・・ＥＴＣ連動部、１２０・・・記憶部、１２１・・・カード情報記憶部、１２２・・・利用条件記憶部、１３０・・・通信部、２００・・・カード設定端末、２１０・・・表示部、２２０・・・入力受付部、２３０・・・通信部、２４０・・・読取部、３００・・・ハンディ端末、３１０・・・印刷部、３２０・・・入力受付部、３３０・・・通信部、３４０・・・読取部、４００・・・カード所持者端末、４１０・・・表示部、４２０・・・入力受付部、４３０・・・通信部、４４０・・・読取部、５００・・・ワンタイムカード、５１０・・・記憶部、５２０・・・通信部
【図１】
2017224120.tif 000003
【図２】
2017224120.tif 000004
【図３】
2017224120.tif 000005
【図４】
2017224120.tif 000006
【図５】
2017224120.tif 000007
【図６】
2017224120.tif 000008
【図７】
2017224120.tif 000009
【図８】
2017224120.tif 000010
【図９】
2017224120.tif 000011
【図１０】
2017224120.tif 000012
【図１１】
2017224120.tif 000013
【図１２】
2017224120.tif 000014
【図１３】
2017224120.tif 000015